(57)【要約】      （修正有）【課題】包装をコンパクトにできる搬送装置、画像形成装置及び後処理装置を提供する。【解決手段】搬送装置は、搬送装置本体７１と、前記搬送装置本体７１に設けられた外装部材７２と、を有し、前記外装部材７２は、前記搬送装置本体７１を覆う外装部材本体１００ａと、この外装部材本体１００ａに支持された脚部１００ｂとを有し、前記脚部１００ｂは、前記外装部材本体１００ａから延びた状態と、前記搬送装置本体７１に沿うように前記外装部材本体１００ａから折曲された状態とに折曲自在であるように支持されている。【選択図】図３
2015011303.tif 000002
【特許請求の範囲】
【請求項１】
搬送装置本体と、
前記搬送装置本体に設けられた外装部材と、を有し、
前記外装部材は、前記搬送装置本体を覆う外装部材本体と、この外装部材本体に支持された脚部とを有し、
前記脚部は、前記外装部材本体から延びた状態と、前記搬送装置本体に沿うように前記外装部材本体から折曲された状態とに折曲自在であるように支持されている
搬送装置。
【請求項２】
前記外装部材は、前記搬送装置本体に対して開く方向と閉じる方向に開閉自在である請求項１記載の搬送装置。
【請求項３】
前記外装部材は、前記搬送装置本体に対して開く方向と閉じる方向に開閉自在に支持する開閉支持部を有する請求項１記載の搬送装置。
【請求項４】
画像形成装置本体と、前記画像形成装置本体に着脱自在に装着された搬送装置と、を有し、
前記搬送装置は、搬送装置本体と、前記搬送装置本体に設けられた外装部材と、を有し、前記外装部材は、前記搬送装置本体を覆う外装部材本体と、この外装部材本体に支持された脚部とを有し、前記脚部は、前記外装部材本体から延びた状態と、前記搬送装置本体に沿うように前記外装部材本体から折曲された状態とに折曲自在であるように支持されている
画像形成装置。
【請求項５】
画像形成装置本体と、前記画像形成装置本体に着脱自在に装着された搬送装置と、前記搬送装置に着脱自在に装着された後処理装置を有し、
前記搬送装置は、搬送装置本体と、前記搬送装置本体に設けられた外装部材と、を有し、前記外装部材は、前記搬送装置本体を覆う外装部材本体と、この外装部材本体に支持された脚部とを有し、前記脚部は、前記外装部材本体から延びた状態と、前記搬送装置本体に沿うように前記外装部材本体から折曲された状態とに折曲自在であるように支持されている
画像形成装置。
【請求項６】
後処理装置本体と、前記後処理装置本体に着脱自在に装着された搬送装置と、を有し、
前記搬送装置は、搬送装置本体と、前記搬送装置本体に設けられた外装部材と、を有し、前記外装部材は、前記搬送装置本体を覆う外装部材本体と、この外装部材本体に支持された脚部とを有し、前記脚部は、前記外装部材本体から延びた状態と、前記搬送装置本体に沿うように前記外装部材本体から折曲された状態とに折曲自在であるように支持されている
後処理装置。
【発明の詳細な説明】
【技術分野】
【０００１】
本発明は、搬送装置、画像形成装置及び後処理装置に関する。
【背景技術】
【０００２】
特許文献１には、ベースシャーシ１の突起部１ｃを後面端子パネル２の角穴２ｃに挿入するとともに、切り起こし部１ｂを角穴２ｂに挿入して後面端子パネル２をベースシャーシ１に取り付け、次に意匠カバー３をベースシャーシ１の後方からスライドさせてベースシャーシ１の穴１ａに意匠カバー３の切り起こし部３ｄを挿入するとともに、ベースシャーシ１の切り起こし部１ｂを意匠カバー３の角穴３ｃに挿入して係合させ、この状態で意匠カバー３の後面から２本の締結ネジ３ｂでネジ止めしてベースシャーシ１と後面端子パネル２と意匠カバー３を固定する構成が開示されている。
【先行技術文献】
【特許文献】
【０００３】
【特許文献１】特開平１１−２３６０６７号公報
【発明の概要】
【発明が解決しようとする課題】
【０００４】
本発明の目的は、包装をコンパクトにできる搬送装置、画像形成装置及び後処理装置を提供することにある。
【課題を解決するための手段】
【０００５】
請求項１に係る本発明は、搬送装置本体と、前記搬送装置本体に設けられた外装部材と、を有し、前記外装部材は、前記搬送装置本体を覆う外装部材本体と、この外装部材本体に支持された脚部とを有し、前記脚部は、前記外装部材本体から延びた状態と、前記搬送装置本体に沿うように前記外装部材本体から折曲された状態とに折曲自在であるように支持されている搬送装置である。
【０００６】
請求項２に係る本発明は、前記外装部材は、前記搬送装置本体に対して開く方向と閉じる方向に開閉自在である請求項１記載の搬送装置である。
【０００７】
請求項３に係る本発明は、前記外装部材は、前記搬送装置本体に対して開く方向と閉じる方向に開閉自在に支持する開閉支持部を有する請求項１記載の搬送装置である。
【０００８】
請求項４に係る本発明は、画像形成装置本体と、前記画像形成装置本体に着脱自在に装着された搬送装置と、を有し、前記搬送装置は、搬送装置本体と、前記搬送装置本体に設けられた外装部材と、を有し、前記外装部材は、前記搬送装置本体を覆う外装部材本体と、この外装部材本体に支持された脚部とを有し、前記脚部は、前記外装部材本体から延びた状態と、前記搬送装置本体に沿うように前記外装部材本体から折曲された状態とに折曲自在であるように支持されている画像形成装置である。
【０００９】
請求項５に係る本発明は、画像形成装置本体と、前記画像形成装置本体に着脱自在に装着された搬送装置と、前記搬送装置に着脱自在に装着された後処理装置を有し、前記搬送装置は、搬送装置本体と、前記搬送装置本体に設けられた外装部材と、を有し、前記外装部材は、前記搬送装置本体を覆う外装部材本体と、この外装部材本体に支持された脚部とを有し、前記脚部は、前記外装部材本体から延びた状態と、前記搬送装置本体に沿うように前記外装部材本体から折曲された状態とに折曲自在であるように支持されている画像形成装置である。
【００１０】
請求項６に係る本発明は、後処理装置本体と、前記後処理装置本体に着脱自在に装着された搬送装置と、を有し、前記搬送装置は、搬送装置本体と、前記搬送装置本体に設けられた外装部材と、を有し、前記外装部材は、前記搬送装置本体を覆う外装部材本体と、この外装部材本体に支持された脚部とを有し、前記脚部は、前記外装部材本体から延びた状態と、前記搬送装置本体に沿うように前記外装部材本体から折曲された状態とに折曲自在であるように支持されている後処理装置である。
【発明の効果】
【００１１】
請求項１に係る本発明によれば、包装をコンパクトにできる搬送装置を提供することができる。
【００１２】
請求項２に係る本発明によれば、請求項１に係る発明の効果に加えて、本構成を有していない場合と比較して、用紙の詰まりを取り除くことができる搬送装置を提供することができる。
【００１３】
請求項３に係る本発明によれば、請求項１に係る発明の効果に加えて、本構成を有していない場合と比較して、簡易な構成で、用紙の詰まりを取り除くことができる搬送装置を提供することができる。
【００１４】
請求項４に係る本発明によれば、包装をコンパクトにでき、流通コストを低減できる画像形成装置を提供することができる。
【００１５】
請求項５に係る本発明によれば、包装をコンパクトにでき、流通コストを低減できる画像形成装置を提供することができる。
【００１６】
請求項６に係る本発明によれば、包装をコンパクトにでき、流通コストを低減できる後処理装置を提供することができる。
【図面の簡単な説明】
【００１７】
【図１】本発明の一実施形態に係る画像形成装置の全体構成図である。
【図２】本発明の一実施形態に係る画像形成装置に用いられる搬送装置の概略斜視図である。
【図３】本発明の一実施形態に係る搬送装置に用いられるフロントカバーの脚部の動きを示す横面図である。
【図４】本発明の一実施形態に係るフロントカバー本体と脚部の接続部分を示し、（ａ）は設置時を示し、（ｂ）は包装時を示す図である。
【図５】本発明の一実施形態に係るフロントカバー本体と脚部の接続部分を示す拡大図である。
【図６】本発明の一実施形態に係る搬送装置の斜視図であって、（ａ）はフロントカバーを閉じた状態を示し、（ｂ）はフロントカバーを開いた状態を示す図である。
【発明を実施するための形態】
【００１８】
次に本発明の実施形態を図面に基づいて説明する。
【００１９】
図１は、本発明の一実施形態としての画像形成装置１０の概略図を示す。
画像形成装置１０は、画像形成装置本体１２と、搬送装置１４と、後処理装置１６とを備える。
【００２０】
画像形成装置本体１２は、画像形成部１８と、記録媒体供給部２０と、搬送路２２とにより構成される。
【００２１】
画像形成部１８は、例えば４個の像形成ユニット２４Ｙ、２４Ｍ、２４Ｃ、２４Ｋと、転写装置２６とにより構成される。像形成ユニット２４Ｙ、２４Ｍ、２４Ｃ、２４ＫはそれぞれＹ（イエロー）、Ｍ（マゼンタ）、Ｃ（シアン）、Ｋ（黒）のトナーを用いて現像剤像を形成する。
像形成ユニット２４Ｙ、２４Ｍ、２４Ｃ、２４Ｋは、対応する色が異なっているものの同様の構成となっている。以下、各色に対応するＹ、Ｍ、Ｃ、Ｋを省略して「像形成ユニット２４」のように総称して説明する場合がある。
各色に対応する他の構成（感光体ドラム２８、帯電装置３０等）についても同様とする。
【００２２】
像形成ユニット２４はそれぞれ、像保持体として用いられる感光体ドラム２８と、この感光体ドラム２８を帯電する帯電装置３０と、この帯電装置３０に潜像を形成する潜像形成装置３２と、この潜像形成装置３２によって感光体ドラム２８の表面に形成された静電潜像をトナーを用いて現像してトナー像を形成する現像装置３４と、感光体ドラム２８の表面を清掃する清掃装置３６とを有する。
現像装置３４にはそれぞれ、対応する色のトナーが供給される。
【００２３】
転写装置２６は、転写体として用いられるベルト状の中間転写体３８と、一次転写装置として用いられる一次転写ロール４０Ｙ、４０Ｍ、４０Ｃ、４０Ｋと、二次転写装置として用いられる二次転写ロール４２と、中間転写体３８の表面を清掃する清掃装置４４とを有する。
【００２４】
中間転写体３８には、感光体ドラム２８それぞれに形成されたトナー像が重ねられるようにして転写される。
中間転写体３８は、支持部材として用いられる例えば四つの支持ロール４６ａ、４６ｂ、４６ｃ、４６ｄによって回転自在に支持されている。本実施形態においては、支持ロール４６ａはモータ等の駆動部（非図示）に接続されており、この支持ロール４６ａが駆動回転することで中間転写体３８が回転するように構成されている。
支持ロール４６ｄは、二次転写ロール４２のバックアップロールとして機能する。
【００２５】
一次転写ロール４０Ｙ、４０Ｍ、４０Ｃ、４０Ｋはそれぞれ、感光体ドラム２８Ｙ、２８Ｍ、２８Ｃ、２８Ｋに形成された各色に対応するトナー像を、中間転写体３８に転写する。
【００２６】
二次転写ロール４２は、中間転写体３８に転写された各色のトナー像を、記録媒体供給部２０から供給される記録媒体１に転写する。
【００２７】
記録媒体供給部２０は、略垂直方向に２段設けられている。記録媒体供給部２０は、例えば記録媒体１を積層した状態で収納する記録媒体収納容器４８と、この記録媒体収納容器４８に収納された最上位の記録媒体１を抽出する抽出ロール５０と、この抽出ロール５０で抽出された記録媒体１を画像形成部１８に向けて搬送する搬送ロール５２と、この搬送ロール５２に接触し搬送ロール５２との間で記録媒体１を分離する分離ロール５４とを有する。
【００２８】
搬送路２２は、主搬送路５６と、反転搬送路５８とにより構成される。
【００２９】
主搬送路５６は、記録媒体供給部２０から供給された記録媒体１を搬送装置１４に向けて搬送する搬送路である。
主搬送路５６には、記録媒体１の搬送方向上流側から順に、レジストロール６０と、二次転写ロール４２と、ベルト状の搬送部６２と、定着装置６４と、反転切替部６６と、排出ロール６８とが配置されている。
【００３０】
レジストロール６０は、停止した状態から所定のタイミングで回転を開始し、中間転写体３８にトナー像が転写されるタイミングに合致するように、記録媒体１を中間転写体３８と二次転写ロール４２との接触部に供給する。
【００３１】
定着装置６４は、転写装置２６によりトナー像が転写された記録媒体１にこのトナー像を定着させる。
【００３２】
反転切替部６６は、記録媒体１を反転させて（画像が形成された側の面を下側にして）搬送装置１４へ搬送する場合に、この記録媒体１を反転搬送路５８へ搬送するように、搬送方向を切り替える。
【００３３】
排出ロール６８は、定着装置６４によってトナー像が定着された記録媒体１を搬送装置１４に向けて排出する。
【００３４】
反転搬送路５８は、一方の面に画像が形成された記録媒体１を反転させる搬送路である。反転搬送路５８には、例えば２つの反転搬送ロール７０ａ、７０ｂが配置されている。反転搬送ロール７０ａ、７０ｂは、記録媒体１を反転搬送路５８に搬送し、その後、この反転搬送路５８に搬送したときとは反対方向に回転し、記録媒体１の画像が形成された側の面を下側となるようにして排出ロール６８へ搬送する。
【００３５】
搬送装置１４は、搬送装置本体７１と、この搬送装置本体７１を覆う外装部材７２とにより構成される。
【００３６】
搬送装置本体７１は、搬送路７４を有し、この搬送路７４は、画像形成装置本体１２から供給された（排出ロール６８から搬送された）記録媒体１を後処理装置１６に向けて搬送する搬送路である。
搬送路７４には、記録媒体１の搬送方向上流側から順に、搬入ロール７６と、搬送ロール７８と、排出ロール８０とが配置されている。
搬入ロール７６は、排出ロール６８から排出された記録媒体１を搬送装置１４内に搬入する。搬送ロール７８は、搬入ロール７６から搬入された記録媒体１を排出ロール８０に向けて搬送する。排出ロール８０は、搬送ロール７８から搬送された記録媒体１を後処理装置１６に向けて排出する。
【００３７】
すなわち、画像形成装置本体の搬送路が上方にある場合（例えば搬送路７３）であって、この画像形成装置本体に搬送路が上方にある後処理装置１６を装着する場合には、後処理装置１６は画像形成装置本体に直接接続され、画像形成装置本体の搬送路７３と後処理装置１６の搬送路８８が連続的に形成され、印刷済みの記録媒体１が後処理装置１６に搬送される。しかし、本実施形態のように搬送路が下方にある画像形成装置本体１２に搬送路が上方にある後処理装置１６を装着するような場合には、画像形成装置本体１２と後処理装置１６の間に搬送装置１４を設ける。搬送装置１４（搬送路７４）を画像形成装置本体１２と後処理装置１６の間に設けることで、下方にある画像形成装置本体１２の搬送路２２と上方にある後処理装置１６の搬送路８８とが連続的に形成され、印刷済みの記録媒体１が後処理装置１６に搬送される。
【００３８】
後処理装置１６は、例えばソータ８２、ステープラ８４及びパンチャ８６を有する。
ソータ８２は、画像形成装置本体１２から出力された印刷済みの記録媒体１を搬送路８８を介して分配路８９に導き、さらに第１の分配路８９ａ又は第２の分配路８９ｂに導き、複数のビン９０に分配する。
ステープラ８４は、画像形成装置本体１２から出力された印刷済みの記録媒体１を搬送路８８、搬送路９２を介してコンパイラトレイ９４に次々と導き、このコンパイラトレイ９４に重ねられた記録媒体１束の所定位置に針により固定し、スタッカ９６に排出する。
このようにして、ステープラ８４は、記録媒体１を綴じる綴じ手段を構成する。
パンチャ８６は、コンパイラトレイ９４に重ねられた記録媒体束の所定位置にパンチ穴を開け、スタッカ９６に排出する。
【００３９】
次に、本発明の一実施形態に係る画像形成装置１０に用いられる搬送装置１４について説明する。
【００４０】
図２は、本発明の一実施形態に係る搬送装置１４の概略内部構成図である。
【００４１】
搬送装置本体７１は、搬入ロール７６と、搬送ロール７８と、排出ロール８０と、から構成され、この搬入ロール７６、搬送ロール７８及び排出ロール８０の回転により、画像形成された記録媒体１が後処理装置１６に向けて搬送される。搬入ロール７６、搬送ロール７８及び排出ロール８０は、それぞれ駆動ロールと従動ロールのロール対で構成される。
【００４２】
外装部材７２は、搬送装置本体７１の前面を覆うフロントカバー１００と、搬送装置本体７１の上面を覆うトップカバー１０２と、搬送装置本体７１の後面を覆うリアカバー１０４と、から構成される。
【００４３】
フロントカバー１００は、搬送装置本体７１部分の前面を覆うフロントカバー本体１００ａと、このフロントカバー本体１００ａに支持されたフロントカバー脚部１００ｂと、から構成される。
フロントカバー脚部１００ｂは、下端部がＬ字状に形成され、このＬ字状部分の先端に凸部１０３が形成されている。
【００４４】
リアカバー１０４は、搬送装置本体７１部分の後面を覆うリアカバー本体１０４ａと、このリアカバー本体１０４ａに支持されたリアカバー脚部１０４ｂと、から構成される。リアカバー脚部１０４ｂはリアカバー本体１０４ａに取り外し可能であって、搬送装置１４を設置する際に取り付けられる。
【００４５】
図３は、本発明の一実施形態に係るフロントカバー脚部１００ｂの動きを示す図である。
【００４６】
フロントカバー脚部１００ｂは、後述する回動支持部１１２を軸として、フロントカバー本体１００ａから延びた状態と、搬送装置本体７１に沿うようにフロントカバー本体１００ａから折曲された状態とに折曲自在に支持されている。また、リアカバー本体１０４ａの下端面には凹部１１４が形成され、フロントカバー脚部１００ｂを搬送装置本体７１に沿うように折曲すると、フロントカバー脚部１００ｂに形成された凸部１０３が、リアカバー本体１０４ａに形成された凹部１１４に挿入され、固定されるようになっている。
【００４７】
本実施形態に係る搬送装置１４に示されるように、機能部本体（搬送装置本体７１）に対してフロントカバー１００が大きい場合に、搬送装置１４を包装する際には、リアカバー脚部１０４ｂはリアカバー本体１０４ａから取り外され、フロントカバー脚部１００ｂを搬送装置本体７１に沿うように折曲して包装される。これにより、包装体積は小さくなり、すなわち包装がコンパクトになり、物流コストが低減される。また、搬送装置本体７１が外装部材７２に密着して囲まれて、機能部本体が保護される。また、搬送装置１４を画像形成装置本体１２又は後処理装置１６に設置する際には、フロントカバー脚部１００ｂをフロントカバー本体１００ａから延びた状態に回動し、リアカバー本体１０４ａにリアカバー脚部１０４ｂを装着させることで、搬送装置１４が容易に設置され、設置時間も短縮される。
【００４８】
図４は、フロントカバー本体１００ａとフロントカバー脚部１００ｂの接続部分である回動支持部１１２周辺を示す縦断面図であって、（ａ）は搬送装置１４の設置時の状態を示し、（ｂ）は搬送装置１４の包装時の状態を示す図である。
図５は、回動支持部１１２周辺を示す拡大縦断面図である。
【００４９】
フロントカバー本体１００ａの下端部の両端には、搬送装置本体７１側に突出した回動支持部１１２、１１２が設けられている。回動支持部１１２、１１２の略中央には、孔１１４，１１４が形成されている。
【００５０】
フロントカバー脚部１００ｂの上端部であって、孔１１４，１１４に対応する位置に突起部１２０、１２０が形成されている。
【００５１】
フロントカバー本体１００ａの孔１１４、１１４にフロントカバー脚部１００ｂの突起部１２０、１２０が挿入されることにより、フロントカバー脚部１００ｂは、回動支持部１１２を軸として回動自在となり、フロントカバー脚部１００ｂは、フロントカバー本体１００ａから延びた状態と、搬送装置本体７１に沿うようにフロントカバー本体１００ａから折曲された状態とに折曲自在となる。
【００５２】
フロントカバー本体１００ａの下端は、フロントカバー１００の前面側から後面側にカーブした曲面１０７を有している。この曲面１０７の両端部には、フロントカバー脚部１００ｂの回動を規制する第１の規制部１０８と第２の規制部１１０が形成されている。第１の規制部１０８は、曲面１０７のフロントカバー本体１００ａ側に形成され、第２の規制部１１０は、曲面１０７のフロントカバー脚部１００ｂ側に形成される。
【００５３】
フロントカバー脚部１００ｂの上端部の内側には、曲面１０７を移動するボス１１６が形成されている。設置状態（フロントカバー脚部１００ｂがフロントカバー本体１００ａから延びた状態）において、ボス１１６が第１の規制部１０８に規制される。
また、フロントカバー脚部１００ｂの設置状態における略水平方向には、リブ１１８が形成されている。設置状態において、リブ１１８の先端が第２の規制部１１０に規制される。
また、ボス１１６の先端には、溝１１７が形成され、包装状態（フロントカバー脚部１００ｂが搬送装置本体７１に沿うようにフロントカバー本体１００ａから折曲された状態）において、溝１１７に第２の規制部１１０が嵌合され、フロントカバー脚部１００ｂの回動が規制される。
すなわち、第１の規制部１０８、ボス１１６及び第２の規制部１１０、リブ１１８、溝１１７の作用により、設置状態又は包装状態において、別途の部品を用いずにフロントカバー本体１００ａに対してフロントカバー脚部１００ｂの回動が規制される。
【００５４】
図６は、本発明の実施形態に係る搬送装置１４の概略斜視図であって、（ａ）はフロントカバー１００を閉じた状態を示し、（ｂ）はフロントカバー１００を開いた状態を示す。
【００５５】
フロントカバー１００には、搬送装置本体７１に対して開く方向と閉じる方向に開閉自在に支持する開閉支持部１２２が設けられている。開閉支持部１２２として、例えばヒンジ機構が用いられる。フロントカバー本体１００ａには、第１の開閉支持部１２２ａと第２の開閉支持部１２２ｂが設けられ、フロントカバー脚部１００ｂには、第３の開閉支持部１２２ｃが設けられている。第１の開閉支持部１２２ａと第２の開閉支持部１２２ｂは、フロントカバー本体１００ａと搬送装置本体７１とを支持する。第３の開閉支持部１２２ｃは、フロントカバー本体１００ａと画像形成装置本体１２とを支持する。
【００５６】
すなわち、フロントカバー１００は、搬送装置本体７１に対して開く方向と閉じる方向に開閉自在となっており、記録媒体１の詰まり（ジャム）が搬送装置１４において生じた場合においても容易に取り除くことができる。
【００５７】
本実施形態においては、搬送装置１４を用いた説明したが、これに限らず、下方又は上方に装置本体を有さないものであればよく、後処理装置１６等にも用いることもできる。
【００５８】
また、本実施形態においては、フロントカバー脚部１００ｂを搬送装置本体７１に沿うようにフロントカバー本体１００ａから折曲して包装する構成について詳述したが、これに限らず、フロントカバー脚部１００ｂとリアカバー脚部１０４ｂのうち少なくとも一方が搬送装置本体７１に沿うようにフロントカバー本体１００ａから折曲できるようにするとよい。
【００５９】
また、本実施形態においては、搬送装置１４の設置状態においては、ボス１１６が第１の規制部１０８で規制され、リブ１１８が第２の規制部１１０に規制され、包装状態においては、第２の規制部１１０が溝１１７に規制されて、フロントカバー脚部１００ｂの回動が規制される構成について詳述したが、これに限らず、フロントカバー脚部１００ｂをフロントカバー本体１００ａから延びた状態にした後、ネジ止めして固定するようにしてもよい。また、フロントカバー本体１００ａから折曲された状態にした後、ネジ止めして固定するようにしてもよい。
【００６０】
なお、本発明は上記の実施形態に限定されない。
【００６１】
以上で説明したように、本発明は、例えば複写機、プリンタ、ファクシミリ装置等の画像形成装置に適用することができる。
【符号の説明】
【００６２】
１０・・・画像形成装置
１２・・・画像形成装置本体
１４・・・搬送装置
１６・・・後処理装置
７１・・・搬送装置本体
７２・・・外装部材
１００・・フロントカバー
１００ａ・フロントカバー本体
１００ｂ・フロントカバー脚部
１１２・・回動支持部
１２２・・開閉支持部
【図１】
2015011303.tif 000003
【図２】
2015011303.tif 000004
【図３】
2015011303.tif 000005
【図４】
2015011303.tif 000006
【図５】
2015011303.tif 000007
【図６】
2015011303.tif 000008